(57)【要約】      （修正有）【課題】洋服ダンスの内部に吊るすだけでなく、壁に固定して使用することもできる収納用品を提供する。【解決手段】フレーム１と、本体とを含んでなり、フレーム１が、壁に固定し、壁から垂直に延伸して設けられ、フレームの後方には複数のフック部を備えた係合部材が設けられ、壁の表面に少なくとも一以上のフック部をフック座に掛けて固定し、本体が、上端にフレームに連接して吊るす構造とする。【選択図】図２
0003154675.tif 000002
【実用新案登録請求の範囲】
【請求項１】
フレームと、本体とを含んでなり、
該フレームが、壁に固定し、壁から垂直に延伸して設けられ、フレームの後方には複数のフック部を備えた係合部材が設けられ、壁の表面に少なくとも一以上のフック部をフック座に掛けて固定し、
該本体が、上端にフレームに連接して吊るす構造を具えてなることを特徴とする収納用品。
【請求項２】
前記本体が、フレームに接続して吊るし、本体の後方壁面の上方に開口を設けてなり、該開口はフレームを本体に挿入するために供し、フレームが本体の上部底面を指示して本体が吊るされた状態になることを特徴とする請求項１に記載の収納用品。
【請求項３】
前記本体が、フレームに連接して吊るす構造からなり、フレームの少なくとも両側に複数の孔が設けられ、本体の上方の両側にそれぞれ複数のベルトが設けられ、該ベルトが固定部材を設けてなり、ベルトをフレーム両側の孔に穿設し、固定部材でベルト両端を固定して閉じて、ベルトで本体をフレームに吊るすことができる構造からなることを特徴とする請求項1に記載の収納用品。
【考案の詳細な説明】
【技術分野】
【０００１】
この考案は、収納用品に関し、特に壁やフレームに掛けて様々な物を収納することができる収納用品に関する。
【背景技術】
【０００２】
居住空間が広くない国や地域では、物を収納するタンスや棚などを設ける空間も制限を受ける。
【０００３】
よって、別に衣類や小物を収納することができる吊るす形態の棚状の収納用品は便利で、幅広い消費者から支持されている。
【０００４】
通常、簡易式の吊るす形態の棚状の収納用品は十分な強度と、可撓性とを具えた帆布から形成される。
【０００５】
該吊るす形態の棚状の収納用品は通常、上、下、左、右と後方面とがいずれも面の状態で、前方がわずかに開放された形態に形成され、複数の隔離された層状の区域が複数の空間になる。
【０００６】
また、吊るす形態の棚状の収納用品は上方に孔が設けられ、該孔に洋服ダンスや壁に設けられた桿体に吊るすためのフックなどを設ける。さらに、吊るす形態の棚状の収納用品の上方に面テープを設けて、洋服ダンスや洋服ダンス内の桿体に粘着固定して設けてもよい。
【０００７】
しかしながら、従来の吊るす形態の棚状の収納用品は、予め桿体が設けられたタンスの内部にしか掛けることができず、壁に直接設けることができない。
【０００８】
また、従来の簡易式の洋服ダンスは軟性のプラスチック製の布などでタンスの壁面を形成するため、タンスの内側に金属の管体を組み合わせたフレームを設けて支持しなければならない。よって、組み立てが比較的複雑で、重量が重くなる。
【０００９】
さらに、従来のタンスは構造上地面に設けるしかできず、床を掃除する場合には洋服ダンスで空間が占められているため、完全に空間を清掃することができない。
【考案の開示】
【考案が解決しようとする課題】
【００１０】
この考案は、洋服ダンスの内部に吊るすだけでなく、壁に固定して使用することもできる収納用品を提供することを課題とする。
【課題を解決するための手段】
【００１１】
そこで、本考案者は従来の技術に見られる欠点に鑑みて鋭意研究を重ねた結果、フレームと、本体とを含んでなり、
該フレームが、壁に固定し、壁から垂直に延伸して設けられ、フレームの後方には複数のフック部を備えた係合部材が設けられ、壁の表面に少なくとも一以上のフック部をフック座に掛けて固定し、
該本体が、上端にフレームに連接して吊るす構造を具えてなる収納用品によって課題を解決できる点に着眼し、かかる知見に基づいて本考案を完成させた。
【００１２】
以下、この考案について具体的に説明する。
請求項１に記載のフレームと、本体とを含んでなり、
該フレームが、壁に固定し、壁から垂直に延伸して設けられ、フレームの後方には複数のフック部を備えた係合部材が設けられ、壁の表面に少なくとも一以上のフック部をフック座に掛けて固定し、
該本体が、上端にフレームに連接して吊るす構造を具えてなる。
【００１３】
請求項２に記載の収納用品は、請求項１における本体が、フレームに接続して吊るし、本体の後方壁面の上方に開口を設けてなり、該開口はフレームを本体に挿入するために供し、フレームが本体の上部底面を指示して本体が吊るされた状態になる。
【００１４】
請求項３に記載の収納用品は、請求項１における本体が、フレームに連接して吊るす構造からなり、フレームの少なくとも両側に複数の孔が設けられ、本体の上方の両側にそれぞれ複数のベルトが設けられ、該ベルトが固定部材を設けてなり、ベルトをフレーム両側の孔に穿設し、固定部材でベルト両端を固定して閉じて、ベルトで本体をフレームに吊るすことができる。
【考案の効果】
【００１５】
この考案による収納用品は、使用形態が多様で実用的であるという効果を有する。
【考案を実施するための最良の形態】
【００１６】
この考案は、洋服ダンスの内部に吊るすだけでなく、壁に固定して使用することもできる収納用品であって、フレームと、本体とを含んでなり、
該フレームが、壁に固定し、壁から垂直に延伸して設けられ、フレームの後方には複数のフック部を備えた係合部材が設けられ、壁の表面に少なくとも一以上のフック部をフック座に掛けて固定し、
該本体が、上端にフレームに連接して吊るす構造を具えてなる収納用品の構造と特徴を詳述するために具体的な実施例を挙げ、図示を参照にして以下に説明する。
【実施例】
【００１７】
この考案の収納棚は図２に開示するように、フレーム１と棚状の本体とを含んでなる。
【００１８】
該フレーム１は、壁に固定して設けられる。棚状の本体は直接、フレーム１上に掛けて設ける。
【００１９】
該本体は図２に開示するように洋服ダンス２に形成してもよいし、図４に開示するように収納ボックス４に形成してもよい。
【００２０】
図１、図２は、フレーム１の実施形態を示したものである。
【００２１】
図面によれば、該フレーム１は、複数の桿体を組み合わせて形成し、両側に垂直桿１１が設けられる。
【００２２】
該垂直桿１１とフレーム１はとの間には九十度の挟角が形成され、補強桿１２が補強するために供される。
【００２３】
フレーム１の下方には少なくとも一本の吊るし桿１３が設けられて、衣類などを掛けるために供する。
【００２４】
フレーム１を壁３に固定するため、この考案の実施形態ではフレーム１の両側の垂直桿１１の内側面にそれぞれ係合部材１４を螺設する。
【００２５】
該係合部材１４の端縁には複数の開口から下方向に形成されたフック部１４１を設けてなる。
【００２６】
また、端面が逆さコの字状を呈するフック座１５を壁３に固定する。
【００２７】
該フック座１５の逆さコの字状の空間は、係合部材１４のフック部１４１を内部に掛けてフレーム１を壁に固定するために供し、該フレーム１が壁３から垂直に延伸する（図２参照）。
【００２８】
図２に開示する棚状の本体は、洋服ダンス２に形成する。
【００２９】
該洋服ダンス２は、外周壁をいずれも軟質のプラスチック製の布か、或いは帆布から形成する。
【００３０】
洋服ダンス２の内部にはフレームを支持する骨組みを必要としない。
【００３１】
該洋服ダンス２の後方壁面の上方には開口２１を設ける。
【００３２】
フレーム１が壁３上の適宜な高さに固定された後、洋服ダンス２の開口２１から直接、フレーム１を洋服ダンス２の中（図３参照）に挿入する。
【００３３】
よって、フレーム１が洋服ダンス２上部の底面を支持することができて、洋服ダンス２を吊るすことができる。
【００３４】
フレーム１が洋服ダンス２上面を支持するため、洋服ダンス２の上面に品物を設けるために使用することができる。
【００３５】
図４は、この考案の収納用品の他の実施形態を示したものである。
【００３６】
フレーム１の両側の桿体の中間に複数の孔１６を設ける。本体（図４に開示する本体は収納ボックス４に形成する）の上方両側と中間にそれぞれ複数の固定部材を含むベルト４１を設ける。
【００３７】
該固定部材は実施形態において、ベルト４１と同一面に対向する二つの方向にフック面４１１と、ループ面４１２とを具えてなる。
【００３８】
フレーム１を壁に固定した後、収納ボックス４上のベルト４１をフレーム１両側の孔１６に穿設する。
【００３９】
フック面４１１とループ面４１２とを互いに粘着してベルト４１の両端を閉じて固定する。
【００４０】
よって、ベルト４１で収納ボックス４をフレーム１に吊るすことができて便利である。
【００４１】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００４２】
【図１】この考案の収納用品のフレームを壁に固定する状態を示した説明図である。
【図２】この考案の収納用品のフレームを壁に固定し、洋服ダンスを組み合わせる状態を示した説明図である。
【図３】この考案の収納用品の洋服ダンスをフレームに吊るした状態を示した説明図である。
【図４】この考案の収納用品のフレームと収納ボックスとを示した分解図である。
【図５】この考案の収納用品の収納ボックスをフレームに吊るした状態を示した説明図である。
【符号の説明】
【００４３】
１                 フレーム
１１               垂直桿
１２               補強桿
１３               吊るし桿
１４               係合部材
１４１             フック部
１５               フック座
１６               孔
２                 洋服ダンス
２１               開口
３                 壁
４                 収納ボックス
４１               ベルト
４１１             フック面
４１２             ループ面
【図１】
0003154675.tif 000003
【図２】
0003154675.tif 000004
【図３】
0003154675.tif 000005
【図４】
0003154675.tif 000006
【図５】
0003154675.tif 000007